(57)【要約】【課題】表示装置及び映像出力装置間の設置距離が適正か否かを視覚的に通知でき、両装置間で良好に無線伝送できる映像表示システムの提供。【解決手段】映像信号を出力する出力部５を有する映像出力装置２と、出力部５が出力した映像信号を入力する入力部７、及びその入力した映像信号に基づく映像を表示する表示部１１を有する表示装置１とを備える映像表示システム。表示装置１は、外部からの指示により、所定強度のテスト音声信号を発生させる発生部８と、そのテスト音声信号に基づくテスト音声を出力する音声出力部１０とを有し、映像出力装置２は、音声出力部１０が出力したテスト音声を音声信号に変換する音声変換部６と、その変換した音声信号の強度を所定の強度範囲と比較する比較手段４と、その比較結果に応じて表示部１１に表示させる為の複数の映像信号を記憶している記憶手段４ａとを有する構成である。【選択図】図１
2014068073.tif 000002
【特許請求の範囲】
【請求項１】
映像信号を無線により出力する出力部を有する映像出力装置と、前記出力部が出力した映像信号を入力する入力部、及び該入力部が入力した映像信号に基づく映像を表示する表示部を有する表示装置とを備える映像表示システムにおいて、
前記表示装置は、外部からの指示により、所定強度のテスト音声信号を発生させる発生部と、該発生部が発生させたテスト音声信号に基づくテスト音声を出力する音声出力部とを有し、
前記映像出力装置は、前記音声出力部が出力したテスト音声を音声信号に変換する音声変換部と、該音声変換部が変換した音声信号の強度を所定の強度範囲と比較する比較手段と、該比較手段の比較結果に応じて前記表示部に表示させる為の複数の映像信号を記憶している記憶手段とを有し、前記出力部は、前記比較手段の比較結果に応じた映像信号を前記記憶手段から読み出して出力するように構成してあることを特徴とする映像表示システム。
【請求項２】
映像信号を無線により入力する入力部と、該入力部が入力した映像信号に基づく映像を表示する表示部とを備える表示装置において、
外部からの指示により、所定強度のテスト音声信号を発生させる発生部と、該発生部が発生させたテスト音声信号に基づくテスト音声を出力する音声出力部とを備えることを特徴とする表示装置。
【請求項３】
映像信号を無線により出力する出力部を備える映像出力装置において、
外部からのテスト音声を音声信号に変換する音声変換部と、該音声変換部が変換した音声信号の強度を所定の強度範囲と比較する比較手段と、該比較手段の比較結果に応じた複数の映像信号を記憶している記憶手段とを備え、前記出力部は、前記比較手段の比較結果に応じた映像信号を前記記憶手段から読み出して出力するように構成してあることを特徴とする映像出力装置。
【請求項４】
請求項２に記載された表示装置と、テレビジョン放送を受信する受信部とを備え、該受信部が受信したテレビジョン放送に基づき、前記表示装置に映像を表示するように構成してあることを特徴とするテレビジョン受信機。
【発明の詳細な説明】
【技術分野】
【０００１】
本発明は、映像信号を無線により出力する出力部を有する映像出力装置と、出力部が出力した映像信号を入力する入力部、及び入力部が入力した映像信号に基づく映像を表示する表示部を有する表示装置とを備える映像表示システム、表示装置、映像出力装置及びテレビジョン受信機に関するものである。
【背景技術】
【０００２】
地上波ディジタル放送、衛星放送、ケーブルテレビ放送、ＩＰ（Internet Protocol）放送等の放送信号を受信して、一般のテレビジョン受信機で視聴可能な信号に変換するセットトップボックス（ＳＴＢ、映像出力装置）が、ケーブルテレビ会社の加入者への配布等により普及している。ＳＴＢには、ＨＤＤ（Hard Disc Drive）及びＤＶＤレコーダ等を内蔵したものも存在する。
近時、このようなＳＴＢでは、テレビジョン受信機回りの接続ケーブルを削減し接続の手間を省く為に、テレビジョン受信機との間をワイヤレス化することが提案されている。
【０００３】
特許文献１には、信号を発射する送信手段と、送信手段によって発射された信号の反射信号を受信する受信手段と、受信手段の出力から、テレビジョン受像機と視聴者との距離を検知する検知手段と、検知手段の出力により、テレビジョン受像機の動作状態を制御する制御手段とを有するテレビジョン受像機が開示されている。
【０００４】
特許文献２には、発信装置が第１の端子を備え、受信装置が第２の端子と、内部時計と、タイミング制御部と、発信装置からの超音波を受信した時間、及び第２の信号が出力された時間の時間差に基づき、発信装置及び受信装置間の距離を推定する距離計測部とを備えている電子機器が開示されている。例えば、発信装置を受信装置に装着したときに、第１の端子と第２の端子とを接続させて、第１の端子及び第２の端子を介して補正信号を発信装置に入力し、第１の信号の出力のタイミングと第２の信号の出力のタイミングとの同期を正確にとり、発信装置及び受信装置間の距離を正確に推定する。
【先行技術文献】
【特許文献】
【０００５】
【特許文献１】特開昭６１−２６４９７７号公報
【特許文献２】特開２００８−１１６６４４号公報
【発明の概要】
【発明が解決しようとする課題】
【０００６】
上述したように、テレビジョン受信機のような表示装置と映像出力装置（ＳＴＢ）との間で、無線により映像信号及び制御信号の伝送を行う場合、表示装置及び映像出力装置間の設置距離が問題となる。
即ち、表示装置及び映像出力装置間の距離が遠い場合、信号が届かずエラーが生じる。また、表示装置及び映像出力装置間の距離が近過ぎると、制御信号として使用するＩＲ（赤外線）信号を表示装置が受光出来ない場合が生じる。
その為、表示装置及び映像出力装置間の適正な設置距離をユーザに通知する必要があるという問題がある。
【０００７】
本発明は、上述したような事情に鑑みてなされたものであり、表示装置及び映像出力装置間の設置距離が適正であるか否かをユーザに視覚的に通知することができ、表示装置及び映像出力装置間で良好な無線伝送を行うことができる映像表示システムを提供することを目的とする。
【０００８】
また、本発明は、表示装置及び映像出力装置間の設置距離が適正であるか否かをユーザに視覚的に通知することができ、表示装置及び映像出力装置間で良好な無線伝送を行うことができる映像表示システムの表示装置を提供することを目的とする。
【０００９】
また、本発明は、表示装置及び映像出力装置間の設置距離が適正であるか否かをユーザに視覚的に通知することができ、表示装置及び映像出力装置間で良好な無線伝送を行うことができる映像表示システムの映像出力装置を提供することを目的とする。
【００１０】
また、本発明は、表示装置及び映像出力装置間の設置距離が適正であるか否かをユーザに視覚的に通知することができ、表示装置及び映像出力装置間で良好な無線伝送を行うことができる映像表示システムのテレビジョン受信機を提供することを目的とする。
【課題を解決するための手段】
【００１１】
本発明に係る映像表示システムは、映像信号を無線により出力する出力部を有する映像出力装置と、前記出力部が出力した映像信号を入力する入力部、及び該入力部が入力した映像信号に基づく映像を表示する表示部を有する表示装置とを備える映像表示システムにおいて、前記表示装置は、外部からの指示により、所定強度のテスト音声信号を発生させる発生部と、該発生部が発生させたテスト音声信号に基づくテスト音声を出力する音声出力部とを有し、前記映像出力装置は、前記音声出力部が出力したテスト音声を音声信号に変換する音声変換部と、該音声変換部が変換した音声信号の強度を所定の強度範囲と比較する比較手段と、該比較手段の比較結果に応じて前記表示部に表示させる為の複数の映像信号を記憶している記憶手段とを有し、前記出力部は、前記比較手段の比較結果に応じた映像信号を前記記憶手段から読み出して出力するように構成してあることを特徴とする。
【００１２】
この映像表示システムでは、映像出力装置が、映像信号を無線により出力する出力部を有し、表示装置が、映像出力装置の出力部が出力した映像信号を入力する入力部、及び入力部が入力した映像信号に基づく映像を表示する表示部を有している。表示装置は、発生部が、外部からの指示により、所定強度のテスト音声信号を発生させ、音声出力部が、発生部が発生させたテスト音声信号に基づくテスト音声を出力する。
映像出力装置は、音声変換部が、表示装置の音声出力部が出力したテスト音声を音声信号に変換し、比較手段が、音声変換部が変換した音声信号の強度を所定の強度範囲と比較する。映像出力装置の記憶手段が、比較手段の比較結果に応じて表示装置の表示部に表示させる為の複数の映像信号を記憶しており、出力部が、比較手段の比較結果に応じた映像信号を記憶手段から読み出して出力する。
【００１３】
本発明に係る表示装置は、映像信号を無線により入力する入力部と、該入力部が入力した映像信号に基づく映像を表示する表示部とを備える表示装置において、外部からの指示により、所定強度のテスト音声信号を発生させる発生部と、該発生部が発生させたテスト音声信号に基づくテスト音声を出力する音声出力部とを備えることを特徴とする。
【００１４】
この表示装置では、入力部が、映像信号を無線により入力し、表示部が、入力部が入力した映像信号に基づく映像を表示する。発生部が、外部からの指示により、所定強度のテスト音声信号を発生させ、音声出力部が、発生部が発生させたテスト音声信号に基づくテスト音声を出力する。
【００１５】
本発明に係る映像出力装置は、映像信号を無線により出力する出力部を備える映像出力装置において、外部からのテスト音声を音声信号に変換する音声変換部と、該音声変換部が変換した音声信号の強度を所定の強度範囲と比較する比較手段と、該比較手段の比較結果に応じた複数の映像信号を記憶している記憶手段とを備え、前記出力部は、前記比較手段の比較結果に応じた映像信号を前記記憶手段から読み出して出力するように構成してあることを特徴とする。
【００１６】
この映像出力装置では、出力部が、映像信号を無線により出力する。音声変換部が、外部からのテスト音声を音声信号に変換し、比較手段が、音声変換部が変換した音声信号の強度を所定の強度範囲と比較する。記憶手段が、比較手段の比較結果に応じた複数の映像信号を記憶しており、出力部は、比較手段の比較結果に応じた映像信号を記憶手段から読み出して出力する。
【００１７】
本発明に係るテレビジョン受信機は、本発明に係る表示装置と、テレビジョン放送を受信する受信部とを備え、該受信部が受信したテレビジョン放送に基づき、前記表示装置に映像を表示するように構成してあることを特徴とする。
【００１８】
このテレビジョン受信機では、本発明に係る表示装置と、テレビジョン放送を受信する受信部とを備えており、受信部が受信したテレビジョン放送に基づき、表示装置に映像を表示する。
【発明の効果】
【００１９】
本発明に係る映像表示システムによれば、表示装置及び映像出力装置間の設置距離が適正であるか否かをユーザに視覚的に通知することができ、表示装置及び映像出力装置間で良好な無線伝送を行うことができる映像表示システムを実現することができる。
【００２０】
本発明に係る表示装置によれば、表示装置及び映像出力装置間の設置距離が適正であるか否かをユーザに視覚的に通知することができ、表示装置及び映像出力装置間で良好な無線伝送を行うことができる映像表示システムの表示装置を実現することができる。
【００２１】
本発明に係る映像出力装置によれば、表示装置及び映像出力装置間の設置距離が適正であるか否かをユーザに視覚的に通知することができ、表示装置及び映像出力装置間で良好な無線伝送を行うことができる映像表示システムの映像出力装置を実現することができる。
【００２２】
本発明に係るテレビジョン受信機によれば、表示装置及び映像出力装置間の設置距離が適正であるか否かをユーザに視覚的に通知することができ、表示装置及び映像出力装置間で良好な無線伝送を行うことができる映像表示システムのテレビジョン受信機を実現することができる。
【図面の簡単な説明】
【００２３】
【図１】本発明に係る映像表示システム、表示装置及び映像出力装置の実施の形態の概略構成を示すブロック図である。
【図２】本発明に係る映像表示システムの動作の例を説明する為の説明図である。
【図３】本発明に係る映像表示システムの動作の例を説明する為の説明図である。
【図４】記憶部が記憶するテスト音声の強度に対応する映像信号の例を示す説明図である。
【発明を実施するための形態】
【００２４】
以下に、本発明をその実施の形態を示す図面に基づき説明する。
図１は、本発明に係る映像表示システム、表示装置及び映像出力装置の実施の形態の概略構成を示すブロック図である。
この映像表示システムは、音声信号を含む映像信号及び制御信号をＩＲ（赤外線）信号又は電波信号等のワイヤレス（無線）信号として出力するセットトップボックス（ＳＴＢ、映像出力装置）２と、ＳＴＢ２が出力した映像信号及び制御信号を入力し、入力した映像信号に基づく映像を表示するディスプレイ（表示装置）１とを備えている。
【００２５】
ディスプレイ１は、ＳＴＢ２が出力した映像信号及び制御信号をワイヤレスにより受信（入力）するワイヤレス信号受信部（入力部）７と、ワイヤレス信号受信部７が受信した映像信号及び制御信号を受け入れ、映像信号及び音声信号に分離処理する処理部９とを備えている。
ディスプレイ１は、また、処理部９が分離処理した映像信号を表示するパネル（表示部）１１と、処理部９が分離処理した音声信号を与えられ、音声を出力するスピーカ（音声出力部）１０と、図示しない例えばリモートコントロール装置（以下、リモコンと記載）からの指示により、所定強度のテスト音声信号を発生させるテスト信号発生部（発生部）８とを備えている。
【００２６】
ディスプレイ１は、テスト信号発生部８が発生させたテスト音声信号に基づくテスト音声をスピーカ１０から出力する。尚、スピーカ１０が出力するテスト音声は、周波数としては、周囲の雑音が有する周波数帯を避けて３ｋＨｚ程度が良く、音量としては、住専住宅地域の昼間における基準値に当たる５５ｄＢ程度が良い。
【００２７】
ＳＴＢ２は、地上波ディジタル放送、衛星放送、ケーブルテレビ放送、ＩＰ放送等の放送信号を、図示しないリモコンでのチャンネル操作により同調受信し復調する放送信号受信部３と、放送信号受信部３が復調した放送信号を、ディスプレイ１のワイヤレス信号受信部７が受信可能な放送信号に変換する情報処理部４とを備えている。
【００２８】
ＳＴＢ２は、また、情報処理部４が変換した放送信号をワイヤレス信号に変換して送信するワイヤレス信号送信部（出力部）５と、ディスプレイ１のスピーカ１０が出力したテスト音声を検出する為のマイク（音声変換部）６と、マイク６が検出したテスト信号の強度に応じて、ワイヤレス信号送信部５が送信する複数の映像信号を記憶している記憶部（記憶手段）４ａとを備えている。記憶部４ａは、情報処理部４に内蔵されており、また、ＳＴＢ２及びディスプレイ１間の設置距離が、適正な無線伝送が可能な適正範囲である場合に、マイク６が検出すべきテスト音声の強度範囲を記憶している。
【００２９】
以下に、このような構成の映像表示システムの動作を説明する。
ディスプレイ１のテスト信号発生部８は、例えば、図示しないリモコンからの指示があると、所定強度のテスト音声信号を発生させる。テスト信号発生部８が発生させたテスト音声信号は、ディスプレイ１の例えば側面に設けられたスピーカ１０に与えられ、スピーカ１０は、図２に示すように、テスト音声を出力する。
【００３０】
ＳＴＢ２のマイク６が、スピーカ１０が出力したテスト音声を検出すると、情報処理部４は、その強度を測定する。マイク６が検出するテスト音声の強度は、ＳＴＢ２及びディスプレイ１間の設置距離に対応しており、テスト音声の強度に基づきその設置距離を判定することができる。
【００３１】
情報処理部（比較手段）４は、測定したテスト音声の強度が、記憶部４ａが記憶するテスト音声の強度範囲内、その強度範囲より強い、その強度範囲より弱い、の何れであるかを判定する。情報処理部４は、次いで、判定した強度に応じた映像信号を、記憶部４ａから読み出して、ワイヤレス信号送信部５から、図３に示すように送信する。
【００３２】
ディスプレイ１のワイヤレス信号受信部７は、ワイヤレス信号送信部５が送信した映像信号を受信し、処理部９に与える。処理部９は、与えられた映像信号をパネル１１に表示する。
図４Ａ〜Ｃは、記憶部４ａが記憶するテスト音声の強度に対応する映像信号の例を示す説明図であり、図４Ａは、測定したテスト音声の強度が、記憶部４ａが記憶するテスト音声の強度範囲内であることを示しており、ＳＴＢ２及びディスプレイ１間の「距離は最適です」と表示する。
【００３３】
図４Ｂは、測定したテスト音声の強度が、記憶部４ａが記憶するテスト音声の強度範囲より強いことを示しており、ＳＴＢ２及びディスプレイ１間の「距離が近すぎます。ＳＴＢとディスプレイを離してください」と表示する。ユーザは、ＳＴＢ２及びディスプレイ１間をより遠ざける調整をした後、リモコンを通じて、再度、テスト信号発生部８へ指示を送れば良い。
【００３４】
図４Ｃは、測定したテスト音声の強度が、記憶部４ａが記憶するテスト音声の強度範囲より弱いことを示しており、ＳＴＢ２及びディスプレイ１間の「距離が遠すぎます。ＳＴＢとディスプレイを近づけてください」と表示する。ユーザは、ＳＴＢ２及びディスプレイ１間をより近づける調整をした後、リモコンを通じて、再度、テスト信号発生部８へ指示を送れば良い。
【００３５】
尚、本実施の形態では、ディスプレイ１は、表示装置の機能のみを有しているが、テレビジョン放送の電波を同調受信し復調する受信部を更に備え、受信部が復調した信号を処理部９へ与えるように構成して、ディスプレイ１をテレビジョン受信機とすることも可能である。受信部は、図示しないリモコンでのチャンネル操作により同調受信する。
【符号の説明】
【００３６】
１  ディスプレイ（表示装置）
２  ＳＴＢ（映像出力装置）
３  放送信号受信部
４  情報処理部（比較手段）
４ａ  記憶部（記憶手段）
５  ワイヤレス信号送信部（出力部）
６  マイク（音声変換部）
７  ワイヤレス信号受信部（入力部）
８  テスト信号発生部（発生部）
９  処理部
１０  スピーカ（音声出力部）
１１  パネル（表示部）
【図１】
2014068073.tif 000003
【図２】
2014068073.tif 000004
【図３】
2014068073.tif 000005
【図４】
2014068073.tif 000006